(57)【要約】  【課題】カップ式自動販売機の抽出装置において、シリンダの樋上の飲料粉末が残存することを防止する。  【解決手段】粉シュート７をクランクピン１２にて回動自在に軸支し、直接シリンダ２６内に飲料粉末と湯を投入することにより、粉残りを防止できる。また、飲料粉末と湯を同時に投入すると、湯気にて粉シュート７が結露し粉が詰まる問題が発生することに対しては、粉シュート７にヒータ８を貼り付け、断熱体にて粉シュート７の温度を高めることにより結露を粉が詰まること防止できるカップ式自動販売機の抽出装置を提供できるものである。【選択図】図１
2008003877.tif 000002
【特許請求の範囲】
【請求項１】
シリンダ上部に湯投入口と可動式の粉シュートと、前記粉シュートにヒータを貼り付けたことを特徴とするカップ式自動販売機の抽出装置。
【請求項２】
粉シュートを内側に保持するホルダーシュートと、回動自在に軸支されたクランプピンと、このクランプピンに着脱自在に係止するようホルダーシュート上部に係止部を備えたことを特徴とする請求項１に記載のカップ式自動販売機の抽出装置。
【請求項３】
ホルダーシュート下部の湯投入口側の側面に突起を備えたことを特徴とする請求項２に記載のカップ式自動販売機の抽出装置。
【請求項４】
湯投入口に穴を複数個設けたプレートを備えたことを特徴とする請求項１に記載のカップ式自動販売機の抽出装置。
【請求項５】
ホルダーシュートとヒータの間に断熱体を設けたことを特徴とする請求項２に記載のカップ式自動販売機の抽出装置。
【請求項６】
クランプピンの他端に係止するソレノイドと、クランプピンを軸支し、待機時にホルダーシュートの下部が当接する支持板を備えたことを特徴とする請求項２に記載のカップ式自動販売機の抽出装置。
【発明の詳細な説明】
【技術分野】
【０００１】
本発明は、レギュラーコーヒーを抽出するカップ式自動販売機の抽出装置に関するものである。
【背景技術】
【０００２】
従来この種のカップ式自動販売機の抽出装置としては、例えば、シリンダに樋を形成し、その上に粉を投入し、湯でシリンダ内に流し込むものもある（特許文献１参照）。
【０００３】
図６は、従来のカップ式自動販売機の抽出装置の要部断面図を示すものである。図６において、シリンダ１上部に形成された樋２の上方に湯投入口３と粉シュート４を配置しており、樋２上に落下した粉を湯でシリンダ１内に流し込む。シリンダ１側面に空気注入口５を設けており、シリンダ１上面をピストン６にてシールした後、空気注入口５より空気を送り込み、シリンダ１下面より液を送出していた。
【特許文献１】実開平０６−８１０８４号公報
【発明の開示】
【発明が解決しようとする課題】
【０００４】
しかしながら、前記従来の構成では、樋上に粉が残り堆積して不衛生である。
【０００５】
本発明は、上記従来の課題を解決するもので、粉残り防止を目的としたものである。
【課題を解決するための手段】
【０００６】
前記従来の課題を解決するために、本発明のカップ式自動販売機の抽出装置は、粉シュートをクランクピンにて回動自在に軸支し、直接シリンダ内に粉・湯を投入し、粉シュートに濡れ防止のヒータを貼り付けるものであり、粉残りを防止でき衛生的となる。
【発明の効果】
【０００７】
本発明のカップ式自動販売機の抽出装置は、粉残りを防止し衛生状態を向上させることができる。
【発明を実施するための最良の形態】
【０００８】
第１の発明は、シリンダ上部に湯投入口と、可動式の粉シュートと、この粉シュートに貼り付けたヒータを備えることにより、粉残りを防止でき、粉シュートに湯気が付着することによる粉詰まりを防止できる。
【０００９】
第２の発明は、粉シュートを内に保持するホルダーシュートと、回動自在に軸支されたクランプピンと、このクランプピンに着脱自在に係止するようホルダーシュート上部に設けた係止部を備えることにより、ヒータへの水掛かりを防止でき、粉シュートの清掃が簡単に行える。
【００１０】
第３の発明は、ホルダーシュート下部の湯投入口側の面に突起を備えることにより、湯投入口から吐出された湯がホルダーシュートに付着しても粉シュートに付着するのを防止できる。
【００１１】
第４の発明は、湯投入口出口に穴を複数個設けたプレートを備えることにより、湯がシャワー状に粉にかかり、粉が強く攪拌されることによる渋味成分の抽出を防止できる。
【００１２】
第５の発明は、ホルダーシュートとヒータの間に断熱体を設けることにより、粉シュートの温度が上がり、湯気付着をより防止できる。
【００１３】
第６の発明は、クランプピンの他端に係止するソレノイドと、クランプピンを軸支し、待機時にホルダーシュートの下部が当接する支持板を備えることにより、粉投入時の位置より待機位置に戻るときにホルダーシュートに衝撃が加わり、粉シュート内に付着した粉を落下させることができ、次販売の粉と混ざることを防止できる。
【００１４】
以下、本実施の形態について、図面を参照にしながら説明する。なお、本発明の実施の形態によって本発明が限定されるものではない。
【００１５】
（実施の形態１）
図１は、本発明の実施の形態１におけるカップ式自動販売機の抽出装置の粉・湯投入時の正面断面図、図２は、同実施の形態のカップ式自動販売機の抽出装置の粉シュート部の平面図、図３（ａ）は、同実施の形態のカップ式自動販売機の抽出装置のクランクピンとホルダーシュートの係止部の溝部を示す図２のＡ−Ａ線断面図、図３（ｂ）は、同実施の形態のカップ式自動販売機の抽出装置のクランクピンとホルダーシュートの係止部の弾性片を示す図２のＢ−Ｂ線断面図、図４は、同実施の形態のカップ式自動販売機の抽出装置の抽出時の正面断面図、図５は、同実施の形態のカップ式自動販売機の抽出装置の待機時の側面図を示すものである。
【００１６】
図１から４において、粉シュート７の下部に結露防止のヒータ８を貼り付けている。粉シュート７は樹脂製のホルダーシュート９内に保持され、ヒータ８とホルダーシュート９の間に断熱体１０を挟着している。ホルダーシュート９の上部に係止部１１を設け、この係止部１１は、クランクピン１２の平面部１３と勘合する溝１４とクランクピン１２中央部１５と当接し抜け防止の役目を果たす弾性片１６とからなり、クランクピン１２に着脱自在に係止している。ホルダーシュート９の湯投入口１７側の面に突起１８を設けている。クランクピン１２を支持板１９にて回動自在に軸支し、クランプピン１２の他端をソレノイド２０と連結している。待機時、支持板１９の下部はホルダーシュート９の下部と当接している。上下可動のホルダーピストン２１は、ピストン２２をピン２２ａにより回動自在に軸支し、ピストン２２は湯注入口２３と湯投入口１７と空気注入口２４と空気投入口２５と抽出時にシリンダ２６の上部を封止するシールリング２７の嵌着部２８より構成されている。湯投入部１７に弾性体２９を挿入し、弾性体２９に複数個の穴の開いたプレート３０を装着している。ベアリング３１をピストン２２に取り付け、ガイド板３２の異形穴３３に回転自在に挿入している。上下可動のフィルターブロック３４は、抽出時シリンダ２６の下端を封止するパッキン３５とこれに装着されたフィルター３６を保持している。
【００１７】
以上のように構成されたカップ式自動販売機の抽出装置の動作について説明する。
【００１８】
図１から４において、ソレノイド２０がクランクピン１２の一端を引っ張り、クランプピン１２の平面部１３が回転してホルダーシュート９が回動し、粉シュート７の下端がシリンダ２６上に移動し、コーヒー粉がシリンダ２６内に供給される。同時に、湯が湯投入口１７を通りプレート３０によりシリンダ２６内のコーヒー粉に湯がシャワー状にかけられる。ソレノイド２０の吸引が終了し、ホルダーシュート９が待機位置に戻りその下部が支持板１９と衝突する。ピストン２２が下降してシリンダ２６上部を封止し、空気投入口２５より空気が供給され、シリンダ２６下部のフィルターブロック３４よりコーヒーが抽出される。なお、ヒータ８は常に通電されている。
【００１９】
以上のように、本実施の形態においては、シリンダ２６上部に湯投入口１７と、可動式の粉シュート７と、この粉シュート７に貼り付けたヒータ８を備えることにより、粉残りを防止でき、粉シュート７に湯気が付着することによる粉詰まりを防止できる。また、粉シュート７を内に保持する樹脂製のホルダーシュート９と、回動自在に軸支されたクランプピン１２と、このクランプピン１２に着脱自在に係止するようホルダーシュート９上部に設けた係止部１１を備えることにより、ヒータ８への水掛かりを防止でき、粉シュート７の脱着が容易にできるため清掃が簡単に行える。また、ホルダーシュート９下部に突起１８を備えることにより、湯投入口１７から吐出された湯がホルダーシュート９に付着しても粉シュート７に付着するのを防止できる。また、湯投入口１７出口に穴を複数個設けたプレート３０を備えることにより、湯がシャワー状に粉にかかり、粉が強く攪拌されることによる渋味成分の抽出を防止できる。また、ホルダーシュート９とヒータ８の間に断熱体１０を設けることにより、粉シュート７の温度が上がり、湯気付着をより防止できる。また、クランプピン１２の他端に係止するソレノイド２０と、クランプピン１２を軸支し待機時にホルダーシュート９の下部が当接する支持板３２を備えることにより、粉投入時の位置より待機位置に戻るときにホルダーシュート９に衝撃が加わり、粉シュート７内に付着した粉を落下させることができ、次販売の粉と混ざることを防止できる。
【産業上の利用可能性】
【００２０】
以上のように、本発明にかかるカップ式自動販売機の抽出装置は、粉シュートに直接ヒータを貼り付け、さらに断熱効果を増したために粉シュートの温度が上がり、高湿度下でも結露を防止できるため、従来の固定型粉シュートに用いても有効である。
【図面の簡単な説明】
【００２１】
【図１】本発明の実施の形態１におけるカップ式自動販売機の抽出装置の正面断面図
【図２】本発明の実施の形態１におけるカップ式自動販売機の抽出装置の平面図
【図３】（ａ）図２のＡ−Ａ線断面図（ｂ）図２のＢ−Ｂ線断面図
【図４】本発明の実施の形態１におけるカップ式自動販売機の抽出装置の正面断面図
【図５】本発明の実施の形態１におけるカップ式自動販売機の抽出装置の側面図
【図６】従来のカップ式自動販売機の抽出装置の要部断面図
【符号の説明】
【００２２】
７    粉シュート
８    ヒータ
９    ホルダーシュート
１０  断熱体
１１  係止部
１２  クランクピン
１７  湯投入口
１８  突起
１９  支持板
２０  ソレノイド
２６  シリンダ
３０  プレート
【図１】
2008003877.tif 000003
【図２】
2008003877.tif 000004
【図３】
2008003877.tif 000005
【図４】
2008003877.tif 000006
【図５】
2008003877.tif 000007
【図６】
2008003877.tif 000008